(57)【要約】【課題】鎌の揺動によって施解錠する引き戸用鎌錠の施解錠操作部の構成の簡素化を図ることである。【解決手段】引き戸３の戸先側の端面に埋設される錠ケース１１の内部に、揺動可能なアーム２０と、そのアーム２０の揺動に連動して解錠姿勢と施錠姿勢との間で揺動する鎌１５とを組み込む。引き戸３の戸先側表面に摘みケース３１を埋設し、その摘みケース３１内に操作部材３６を昇降自在に組み込む。操作部材３６に駆動ピン３９を設け、その駆動ピン３９をアーム２０に形成されたピン孔２３内に挿入し、操作部材３６に設けられた操作摘み３６ｂの押し下げ、または、押し上げによって鎌１５を解錠姿勢と施錠姿勢との間で揺動させるようにする。【選択図】図５
2013096159.tif 000002
【特許請求の範囲】
【請求項１】
引き戸の戸先側端面に埋設され、その端面に衝合されるフロントプレートに鎌出入口が形成された錠ケースと、
前記錠ケースの側板によって端部が支持された支点軸と、
前記支点軸に支持されて、先端のＬ形鎌片が前記鎌出入口から突出する施錠姿勢と、前記錠ケース内に引っ込む解錠姿勢との間で揺動可能とされ、前記支点軸の周りに、その支点軸に向けて長く延びる長孔が形成された鎌と、
前記錠ケースの側板によって回転自在に支持される揺動中心軸を端部に有し、揺動側端部に設けられた連動ピンが前記鎌の長孔内に挿入されて、前記揺動中心軸に近接する部位に、透孔からなるピン孔が形成された揺動アームと、
前記引き戸の表面から前記揺動アームを揺動操作する操作手段とからなり、
前記操作手段が、引き戸の表面に埋設され、引き戸表面に衝合される座板に操作窓が形成された摘みケースと、その摘みケース内において昇降可能に支持されるスライド板を有し、そのスライド板の表面に前記操作窓内で昇降可能な操作摘みが形成された操作部材とを備え、前記スライド板の背面に駆動ピンを設け、その駆動ピンを前記揺動アームのピン孔にスライド自在に挿入した構成からなる引き戸用鎌錠。
【発明の詳細な説明】
【技術分野】
【０００１】
この発明は、出入口を開閉するスライド可能な引き戸を閉鎖位置において施錠し、または解錠する引き戸用鎌錠に関する。
【背景技術】
【０００２】
脱衣室やトイレの壁に設けられた出入口をスライド可能な引き戸によって開閉する引き戸装置においては、上記引き戸の引き戸用錠を取付け、その引き戸用錠により、引き戸を施錠し、解錠することが行われている。このとき、引き戸が建屋内に設けられたものであるため、外部からの侵入防止を考慮する必要がないため、シンプルな簡単な構成の引き戸用錠が採用されている。
【０００３】
この種の引き戸用錠として、例えば、特許文献１に記載された引き戸用鎌錠が従来から知られている。この引き戸用鎌錠においては、引き戸の室内側表面に埋設されたスイッチケース内にボタンスイッチを設け、そのボタンスイッチのプッシュ操作により鎌を回動させ、その鎌の先端のＬ形鎌片を開口枠の戸当たり側縦枠に設けられた鎌掛け孔に係合させて、引き戸を施錠するようにしている。
【先行技術文献】
【特許文献】
【０００４】
【特許文献１】特開２０１０−２２９７１８号公報
【発明の概要】
【発明が解決しようとする課題】
【０００５】
ところで、上記従来の引き戸用鎌錠においては、ボタンスイッチが、操作板をくの字に屈曲し、その屈曲部に枢軸部を設け、その枢軸部の両端部に対称形状の一対の押圧板部を設けた構成とされ、そのボタンスイッチの支持に際し、上記枢軸部に形成された軸方向孔内に一対の軸芯と、各軸芯の外側に一対の軸押えとを組込み、その軸芯間に組み込まれたスプリングにより一対の軸芯を離反する方向に付勢して、その外側に組み込まれた軸押えに外方への突出性を付与し、上記ボタンスイッチをスイッチケースに形成された支持凹部内に嵌入し、その支持凹部の側壁に形成された細軸穴に上記軸押えの先端の細管部を係合させるようにした部品点数の多い構成であるため、組立てに非常に手間がかかり、その組立性の向上を図る上において改善すべき点が残されている。
【０００６】
また、ボタンスイッチの一対の押圧板部のうち、垂直状態とされた一方の押圧板部をプッシュして鎌を施錠位置まで揺動させると共に、傾斜状態とされていた他方の押圧板部を垂直状態に姿勢を変換させ、その垂直状態の押圧板部をプッシュして鎌を解錠位置まで揺動させる構成であり、これら一対の押圧板部はスイッチケースの支持凹部内で垂直状態とされるため、引き戸用鎌錠を初めて視たお客の場合、その施解錠の操作が解りずらく、施解錠操作を簡単に認識させる上においても改善すべき点が残されている。
【０００７】
この発明の課題は、鎌の揺動によって施解錠する引き戸用鎌錠の施解錠操作部の構成の簡素化を図ること、施解錠操作を簡単に認識させることができるようにすることである。
【課題を解決するための手段】
【０００８】
上記の課題を解決するために、この発明においては、引き戸の戸先側端面に埋設され、その端面に衝合されるフロントプレートに鎌出入口が形成された錠ケースと、その錠ケースの側板によって両端部が支持された支点軸と、その支点軸に支持されて、先端のＬ形鎌片が前記鎌出入口から突出する施錠姿勢と、前記錠ケース内に引っ込む解錠姿勢との間で揺動可能とされ、前記支点軸の周りに、その支点軸に向けて長く延びる長孔が形成された鎌と、前記錠ケースの側板によって回転自在に支持される揺動中心軸を端部に有し、揺動側端部に設けられた連動ピンが前記鎌の長孔内に挿入されて、前記揺動中心軸に近接する部位に、透孔からなるピン孔が形成された揺動アームと、前記引き戸の表面から前記揺動アームを揺動操作する操作手段とからなり、前記操作手段が、引き戸の表面に埋設され、引き戸表面に衝合される座板に操作窓が形成された摘みケースと、その摘みケース内において昇降可能に支持されるスライド板を有し、そのスライド板の表面に前記操作窓内で昇降可能な操作摘みが形成された操作部材とを備え、前記スライド板の背面に駆動ピンを設け、その駆動ピンを前記アームのピン孔にスライド自在に挿入して、操作摘みの上下方向へのスライド操作により鎌を揺動させ、上記操作摘みの引き下げにより鎌を解錠姿勢に変位させ、引き上げにより施錠姿勢に変位させるようにした構成としたのである。
【０００９】
上記の構成からなる引き戸用鎌錠において、引き戸を閉鎖させた状態で、摘みケースの操作窓に臨む操作摘みを引き下げると、その操作摘みと共にスライド板が下降する。このとき、スライド板に設けられた駆動ピンがアームに形成されたピン孔内に挿入されているため、上記スライド板の下降によりアームが揺動中心軸を中心にして揺動端が下向き移動する方向に揺動する。
【００１０】
また、アームの揺動端部には連動ピンが設けられ、その連動ピンが鎌の長孔内に挿入されているため、アームの揺動に連動して鎌が支点軸を中心にアームの揺動方向と逆方向に揺動して、先端のＬ形鎌片がフロントプレートに形成された鎌出入口から突出して、戸当たり用縦枠に設けられた鎌係合孔に係合し、引き戸用鎌錠が施錠状態とされる。
【００１１】
引き戸用鎌錠の施錠状態において、操作部材の操作摘みを引き上げると、スライド板が共に上昇し、その操作部材の上昇動に連動してアームが揺動中心軸を中心にして揺動端が上向き移動する方向に揺動する。また、アームの揺動に連動して鎌が錠ケース内に引き込まれる方向に揺動し、鎌係合孔に対する鎌片の係合が解除し、引き戸用鎌錠が解錠状態とされる。
【００１２】
このように、操作摘みを上げ下げすることによって、引き戸用鎌錠を施錠あるいは解錠することができ、その操作摘みと操作窓の内周上面または下面間に、操作摘みの上下動を可能とするための空間が形成されるため、その空間の存在によって操作摘みを上下動させることが理解することができ、施解錠の操作を簡単に認識させることができる。
【発明の効果】
【００１３】
この発明においては、上記のように、操作部材に設けられた操作摘みの上下方向へのスライドによって鎌を施解錠させることができるため、施解錠操作部は、引き戸の表面に取付けられる摘みケースによって操作部材をスライド自在に支持するだけでよく、部品点数のきわめて少ない簡単な構成の施解錠操作部とすることができる。
【００１４】
また、施解錠操作部では、操作摘みと操作窓の内周上面または下面間に、操作摘みを上下可能とするための空間が形成され、その空間の存在によって操作摘みを上下動させることが理解することができるため、施解錠操作を簡単に認識させることができる。
【図面の簡単な説明】
【００１５】
【図１】この発明に係る引き戸用鎌錠によって引き戸を施解錠するようした引き戸装置の正面図
【図２】この発明に係る引き戸用鎌錠を示す縦断面図
【図３】図２のＩＩＩ−ＩＩＩ線に沿った断面図
【図４】図２のＩＶ−ＩＶ線に沿った断面図
【図５】この発明に係る引き戸用鎌錠の分解斜視図
【図６】操作部の分解斜視図
【図７】操作部と表示部とを示す斜視図
【図８】鎌錠の施錠状態を示す断面図
【発明を実施するための形態】
【００１６】
以下、この発明の実施の形態を図面に基づいて説明する。図１は、引き戸装置を示し、開口枠１の内側に設けられた出入口２をスライド可能な引戸３によって開閉するようにしている。４は引手溝を示す。
【００１７】
引き戸３の戸先側にはこの発明に係る引き戸用鎌錠Ａが設けられ、開口枠１の縦枠１ａの戸当り面には、図８に示すように、上記引き戸用鎌錠Ａに対向して鎌受具Ｂが設けられている。
【００１８】
図５に示すように、引き戸用鎌錠Ａは、引き戸３の戸先側端面に埋設される鎌錠本体部１０と、引き戸３の戸先側の室内側表面に設けられる操作部３０と、引き戸３の戸先側の室外側表面に設けられる表示部５０とからなる。
【００１９】
図２に示すように、鎌錠本体部１０は、引き戸３の戸先側端面に埋設される扁平な角形の錠ケース１１を有している。錠ケース１１には引き戸３の戸先側端面に衝合されてねじ止めされるフロントプレート１２が設けられ、そのフロントプレート１２に鎌出入口１３と、その下方にトリガ挿入孔１４とが形成されている。
【００２０】
錠ケース１１の内部には、フロントプレート１２に近接して鎌１５が組み込まれている。鎌１５は、錠ケース１１の側板１１ａによって両端部が支持された支点軸１６を中心にして揺動自在に支持されている。
【００２１】
鎌１５は、Ｌ形鎌片１５ａを外周下部に有し、そのＬ形鎌片１５ａが、図８に示すように、鎌出入口１３から突出する施錠姿勢と、図２に示すように、錠ケース１１内に引っ込む解錠姿勢との間で揺動可能とされている。また、鎌１５には、その解錠姿勢で支点軸１６から錠ケース１１の奥側に片寄った位置に支点軸１６に向けて長く延びる長孔１７が形成されている。
【００２２】
鎌１５の上側には、キックばね１８が設けられている。キックばね１８は、その一端が錠ケース１１の側板１１ａに設けられた連結片１９に連結され、他端が鎌１５の上部に連結されている。このキックばね１８は、支点軸１６と連結片１９を結ぶ直線Ｌをデッドポイントとして鎌１５を押圧する方向が切り換わり、鎌１５に対する連結位置が上記直線Ｌからフロントプレート１２側に位置する状態で鎌１５を解錠位置に向けて付勢し、上記連結位置が直線Ｌを超えて錠ケース１１の奥側に配置される状態で鎌１５を施錠位置に向けて付勢するようになっている。
【００２３】
図２に示すように、解錠姿勢とされた鎌１５から錠ケース１１の奥側にはアーム２０が設けられている。アーム２０は、傾斜状の配置とされ、その下端部には揺動中心軸２１が設けられている。揺動中心軸２１は、その両端部が錠ケース１１の一対の側板１１ａで支持され、上記揺動中心軸２１を中心にしてアーム２０が揺動自在とされている。また、揺動中心軸２１には、両端面に貫通する角孔２１ａが設けられている。
【００２４】
アーム２０の上端部、すなわち、揺動側の端部には連動ピン２２が設けられ、その連動ピン２２が鎌１５に形成された長孔１７内に挿入されている。このため、アーム２０が揺動すると、そのアーム２０に連動して鎌１５が揺動するようになっている。
【００２５】
また、アーム２０には、揺動中心軸２１に近接して長孔等の透孔からなるピン孔２３が形成されている。
【００２６】
解錠姿勢とされた鎌１５の下方にはトリガ部材２４が設けられている。トリガ部材２４は、左右両端方向に長く延びるガイド孔２５が形成され、そのガイド孔２５内に挿入されたガイドピン２６が錠ケース１１の側板１１ａで支持されている。トリガ部材２４は、フロントプレート１２に対して移動自在に支持され、上記ガイド孔２５内に組み込まれたスプリング２７によりフロントプレート１２に向けて付勢されて、その付勢方向の先端部に設けられた突片部２４ａがトリガ挿入孔１４に対して出没自在とされている。
【００２７】
トリガ部材２４の上側には制動片２８が設けられている。制動片２８は、トリガ部材２４の突片部２４ａがトリガ挿入孔１４から突出する状態で解錠姿勢とされた鎌１５のＬ形鎌片１５ａの下面に接触して、鎌１５が施錠方向に揺動するのを阻止し、上記突片部２４ａがトリガ挿入孔１４内に没入する状態で鎌１５のＬ形鎌片１５ａの下面から退避して鎌１５の施錠方向の揺動を許容するようになっている。
【００２８】
図３乃至図６に示すように、操作部３０は、引き戸３の室内側表面に埋設される摘みケース３１を有し、その摘みケース３１の開口端には引き戸３の表面に衝合される座板３２が設けられている。
【００２９】
摘みケース３１には、その一側面で開口するプレート嵌合凹部３３と、その背部に蓋体嵌合凹部３４とが形成されている。一方、座板３２には、プレート嵌合凹部３３に連通して操作窓３５が設けられている。ここで、操作窓３５は、皿形状の指先挿入凹部３５ａの閉塞端部に角孔部３５ｂを設けた構成とされといる。
【００３０】
摘みケース３１内には、操作部材３６が組み込まれている。操作部材３６は、プレート嵌合凹部３３内で昇降可能なスライド板３６ａの表面に、そのスライド板３６ａの両側方向に長く延びる操作摘み３６ｂを設けた構成とされ、上記操作摘み３６ｂが操作窓３５の指先挿入凹部３５ａ内で昇降可能とされている。
【００３１】
操作部材３６は、蓋体嵌合凹部３４内に嵌合した蓋体３７によってプレート嵌合凹部３３の一側開口から抜け出るのが防止され、その蓋体３７の一側上下に設けられた一対のガイド片３８により面案内されて昇降動するようになっている。
【００３２】
操作部材３６のスライド板３６ａの背面には駆動ピン３９が設けられている。駆動ピン３９は、摘みケース３１の背板に形成された上下方向に長い貫通孔４０内に挿通され、摘みケース３１から外部に臨む先端部が、図３に示す錠ケース１１の側板１１ａに形成された長孔２９に挿通され、さらに、アーム２０のピン孔２３に挿通されている。
【００３３】
図４および図７に示すように、表示部５０は、引き戸３の室外側表面に埋設される表示盤５１を有している。表示盤５１には引き戸３の表面に衝合されるフランジ５２を有し、そのフランジ５２の表面に角形のカバー嵌合凹部５３が形成され、そのカバー嵌合凹部５３の閉塞端に段付き孔５４と、その段付き孔５４を中心とする扇形凹部６８とが設けられている。
【００３４】
表示盤５１には前後に貫通するビス挿入孔５５が上下に形成され、そのビス挿入孔５５内に挿入されたビス５６は摘みケース３１の背面に形成された連結脚４１のねじ孔４２にねじ係合され、そのビス５６の締付けによって摘みケース３１および表示盤５１が引き戸３に固定されている。
【００３５】
表示盤５１の段付き孔５４には表示軸５８が挿通されて、その表示軸５８の頭部５９が段付き孔５４の大径孔部内に配置されている。表示軸５８はカバー嵌合凹部５３に嵌合されたカバー６０によって抜け止めされている。
【００３６】
表示軸５８の表示盤５１を貫通して外部に位置する端部には角軸部６１が形成されている。角軸部６１はアーム２０の揺動中心軸２１に形成された角孔２１ａ内に挿入されて揺動中心軸２１と係合している。このため、アーム２０が揺動すると、表示軸５８が回転するようになっている。
【００３７】
表示軸５８には、段付き孔５４内の大径孔部内に位置する部分に表示板６２が取付けられている。表示板６２の外周には扇形凹部６８と対向する外周に一対の施錠表示用片６３が周方向に間隔をおいて設けられ、鎌錠本体部１０の鎌１５が解錠姿勢にあるとき、一対の施錠表示用片６３間がカバー６０に形成された表示窓６５に臨み、また、鎌１５が施錠姿勢にあるとき、一方の施錠表示用片６３が表示窓６５に臨むようになっている。
【００３８】
ここで、緊急時に、室外側から鎌錠を操作し得るよう、カバー６０に、表示軸５８の頭部５９に対向して円形孔６６を形成し、上記頭部５９にはその円形孔６６に臨む表面に径方向の溝６７を形成し、上記円形孔６６にコインの外周一部を挿入して溝６７に係合させることにより、コインで表示軸５８を回動操作し得るようにしている。
【００３９】
実施の形態で示す引き戸装置は上記の構造からなり、図２は引き戸３の開放状態を示し、引き戸用鎌錠の鎌１５は解錠姿勢にあり、トリガ部材２４は、先端の突片部２４ａがトリガ挿入孔１４から突出し、制動片２８がＬ形鎌片１５ａの下面に接触して、鎌１５が施錠方向に揺動するのを防止している。
【００４０】
上記のような鎌１５の施錠状態において、引き戸３を、図１に示す開口枠１の縦枠１ａに向けてスライドし、その縦枠１ａの戸当たり面に引き戸３の戸先側端面を当接させると、出入口２が引き戸３によって閉鎖する状態とされる。
【００４１】
このとき、縦枠１ａに対する当接により、トリガ部材２４は錠ケース１１内に押し込まれ、制動片２８が鎌１５のＬ形鎌片１５ａの下面から錠ケース１１内の奥側に退避し、鎌１５の揺動を許容する状態となる。
【００４２】
上記のような引き戸３の閉鎖状態において、図３に示す操作摘み３６ｂを引き下げると、その操作摘み３６ｂと共にスライド板３６ａが下降する。このとき、図２および図３に示すように、スライド板３６ａに設けられた駆動ピン３９がアーム２０に形成されたピン孔２３内に挿入されているため、上記スライド板３６ａの下降により、アーム２０が揺動中心軸２１を中心にして図２の矢印で示す方向に揺動する。
【００４３】
また、アーム２０の揺動端部には連動ピン２２が設けられ、その連動ピン２２が鎌１５の長孔１７内に挿入されているため、アーム２０の揺動に連動して鎌１５が支点軸１６を中心にアーム２０の揺動方向と逆方向に揺動して、先端のＬ形鎌片１５ａがフロントプレート１２に形成された鎌出入口１３から突出し、図８に示すように、戸当たり用縦枠１ａに設けられた鎌受具Ｂの鎌係合孔ｂに係合し、引き戸用鎌錠が施錠状態とされる。
【００４４】
図８に示すような引き戸用鎌錠の施錠状態において、上記とは逆に、操作部材３６の操作摘み３６ｂを引き上げると、その操作摘み３６ｂと共にスライド板３６ａが上昇する。また、その操作部材３６の上昇動に連動してアーム２０が揺動中心軸２１を中心にして、図８の矢印で示す方向に揺動すると共に、アーム２０の揺動に連動して鎌１５が錠ケース内に引き込まれる方向に揺動し、鎌係合孔ｂに対する鎌片１５ａの係合が解除し、引き戸用鎌錠が解錠状態とされる。
【００４５】
このように、操作摘み３６ｂを上げ下げすることによって、引き戸用鎌錠を施錠あるいは解錠することができ、その操作摘み３６ｂと操作窓３５における角孔部３５ｂの内周上面または下面間に、操作摘み３６ａの上下動を可能とするための空間が形成されるため、その空間の存在によって操作摘み３６ｂを上下動させることが理解することができ、施解錠の操作を簡単に認識させることができる。
【００４６】
実施の形態で示す引き戸用鎌錠は、上述のように、操作部材３６に設けられた操作摘み３６ｂの上下方向へのスライドによって鎌１５を施解錠させることができるため、施解錠操作部は、引き戸３の表面に取付けられる摘みケース３１によって操作部材３６をスライド自在に支持するだけでよく、部品点数のきわめて少ない簡単な構成の施解錠操作部とすることができる。
【符号の説明】
【００４７】
３    引き戸
１１  錠ケース
１１ａ  側板
１２  フロントプレート
１３  鎌出入口
１４  トリガ挿入孔
１５  鎌
１５ａ  鎌片
１６  支点軸
１７  長孔
２０  アーム
２１  揺動中心軸
２２  連動ピン
２３  ピン孔
２４  トリガ部材
２７  スプリング
２８  制動片
３０  操作部（操作手段）
３１  摘みケース
３２  座板
３５  操作窓
３６  操作部材
３６ａ  スライド板
３６ｂ  操作摘み
３９    駆動ピン
【図１】
2013096159.tif 000003
【図２】
2013096159.tif 000004
【図３】
2013096159.tif 000005
【図４】
2013096159.tif 000006
【図５】
2013096159.tif 000007
【図６】
2013096159.tif 000008
【図７】
2013096159.tif 000009
【図８】
2013096159.tif 000010